(57)【特許請求の範囲】
【請求項１】
モバイル端末が、設定したアラーム鳴動時間を取得するステップと、
前記モバイル端末が、モニタリングした現在時間と設定したアラーム鳴動時間との時間差が第１所定時間差より小さいか否かを判定するステップと、
前記モバイル端末が、前記第１所定時間差より小さいと判定すると、システムをウェイクアップして電源オン操作を実行するステップと、
前記モバイル端末が、システムが電源をオンする時に発した電源オンに対応する信号ＩＤを取得すると、現在時間がアラーム鳴動時間であると特定するステップと、
前記モバイル端末が、特定したアラーム鳴動時間に基づいて、アラームを起動し、鳴る操作を実行するステップと、を含む
ことを特徴とするモバイル端末の電源オフ状態におけるアラーム実現方法。
【請求項２】
前記モバイル端末が、システムが電源をオンする時に発した電源オンに対応する信号ＩＤを取得すると、現在時間がアラーム鳴動時間であると特定するステップは、
前記モバイル端末が、システムが電源をオンする時に発した電源オンに対応する信号ＩＤをリアルタイムにモニタリングし取得するステップと、
前記モバイル端末が、前記信号ＩＤを受信した時刻と設定した前記アラーム鳴動時間との時間差が第２所定時間差より小さいか否かを判定するステップと、
前記モバイル端末が、前記第２所定時間差より小さいと判定すると、前記信号ＩＤを受信した時刻がアラーム鳴動時間であると特定し、アラームを起動するステップと、を含む
ことを特徴とする請求項１に記載の電源オフ状態におけるアラーム実現方法。
【請求項３】
前記モバイル端末が、前記第２所定時間差より小さいと判定すると、前記信号ＩＤを受信した時刻がアラーム鳴動時間であると特定するステップは、
前記モバイル端末が、前記信号ＩＤを受信した時刻よりも前であって、前記信号ＩＤを受信した時刻との時間差が第２設定時間以内である、時間に対応する状態ＩＤを検索するステップと、
前記モバイル端末が、前記信号ＩＤを受信した時刻よりも前であって、前記信号ＩＤを受信した時刻との時間差が第２設定時間以内である、時間に対応する状態ＩＤがアラームオンＩＤであると判定すると、前記信号ＩＤを受信した時刻がアラーム鳴動時間であると特定するステップと、を含む
ことを特徴とする請求項２前記の電源オフ状態におけるアラーム実現方法。
【請求項４】
前記モバイル端末が、前記設定したアラーム鳴動時間を取得するステップの前には、さらに、
前記モバイル端末が、電源オンの状態でアラーム鳴動時間を設定するとともに、前記アラームが鳴る時に対応するサウンドを前記システムのメモリに保存するステップを含む
ことを特徴とする請求項１に記載の電源オフ状態におけるアラーム実現方法。
【請求項５】
前記モバイル端末が、特定したアラーム鳴動時間に基づいて、アラームを起動し、鳴る操作を実行したステップの後には、さらに、
前記モバイル端末が、アラーム操作の操作指令を取得するステップと、
前記モバイル端末が、前記操作指令に応じて、アラームをスヌーズ又は停止する操作を実行するステップと、を含む
ことを特徴とする請求項１に記載の電源オフ状態におけるアラーム実現方法。
【請求項６】
前記アラーム操作の操作指令は、所定対象を、設定した開始位置と目標位置との間にスライドさせるためのものである
ことを特徴とする請求項５前記の電源オフ状態におけるアラーム実現方法。
【請求項７】
前記アラーム操作は、アラームを停止する操作、アラームをスヌーズする操作、或いは、アラームを停止し電源をオフする操作の中のいずれ一種である
ことを特徴とする請求項６前記の電源オフ状態におけるアラーム実現方法。
【請求項８】
電源オフ状態におけるアラームを実現するモバイル端末において、
設定したアラーム鳴動時間を取得するための取得ユニットと、
モニタリングした現在時間と設定したアラーム鳴動時間との時間差が第１所定時間差より小さいか否かを判定するための判定ユニットと、
前記第１所定時間差より小さいと判定すると、システムをウェイクアップし電源をオンする操作を実行させるためのウェイクアップユニットと、
システムが電源をオンする時に発した電源オンに対応する信号ＩＤを取得すると、現在時間がアラーム鳴動時間であることを特定するための特定ユニットと、
特定したアラーム鳴動時間に基づいて、アラームを起動し、鳴る操作を実行するための実行ユニットと、を含む
ことを特徴とするモバイル端末。
【請求項９】
さらに、
システムが電源をオンする時に発した電源オンに対応する信号ＩＤをリアルタイムにモニタリングして取得するためのモニタユニット、を含み、
前記判定ユニットは、前記信号ＩＤを受信した時刻と設定した前記アラーム鳴動時間との時間差が第２所定時間差より小さいか否かを判定し、
前記特定ユニットは、前記第２所定時間差より小さいと判定すると、前記信号ＩＤを受信した時刻がアラーム鳴動時間であると特定し、
前記実行ユニットは、特定したアラーム鳴動時間に基づいて、アラームが鳴る操作を実行する
ことを特徴とする請求項８前記のモバイル端末。
【請求項１０】
さらに、
各設定時間に対応するタグ状態ＩＤを記憶するためのメモリと、
前記信号ＩＤを受信した時刻よりも前であって、前記信号ＩＤを受信した時刻との時間差が第２設定時間以内である、時間に対応する状態ＩＤを検索するための検索ユニットと、を含み、
前記信号ＩＤを受信した時刻も前であって、前記信号ＩＤを受信した時刻との時間差が第２設定時間以内である、時間に対応する状態ＩＤがアラームオンＩＤであると判定すると、前記特定ユニットは、前記信号ＩＤを受信した時刻が前記アラーム鳴動時間であると特定する
ことを特徴とする請求項９前記のモバイル端末。
【請求項１１】
当該モバイル端末のシステムは、さらに、
電源オンの状態でアラーム鳴動時間を設定するための設定モジュールを含み、
前記メモリは、システムに内蔵され、アラームが鳴る時に対応するサウンドを保存する
ことを特徴とする請求項１０前記のモバイル端末。
【請求項１２】
当該システムは、さらに、
アラーム操作の操作指令を処理するための処理モジュールと、
操作指令を取得するための取得モジュールと、
前記操作指令に応じて、アラームをスヌーズ、或いは停止する操作を実行するための実行ユニットと、を含む
ことを特徴とする請求項８前記のモバイル端末。
【請求項１３】
プロセッサに実行されることにより、請求項１乃至７のいずれか１項に記載の電源オフ状態におけるアラーム実現方法を実現することを特徴とするプログラム。
【請求項１４】
請求項１３に記載のプログラムが記録された記録媒体。
【発明の詳細な説明】
【技術分野】
【０００１】  本発明は、モバイル端末技術分野に関し、特に、電源オフ状態におけるアラーム実現方法、モバイル端末、プログラム及び記録媒体に関する。
【背景技術】
【０００２】  モバイル通信技術の発展、モバイル通信端末の普及及びその機能の増加に伴い、携帯電話等のモバイル端末は、既に人々の必要不可欠の通信ツールの１種となっている。【０００３】  携帯電話（無線電信機）アラームは、よく使われる機能の１つである。現在、電源オフアラーム機能は、多くの携帯電話に備えられるが、まだ一部の携帯電話に搭載されていない。【０００４】  従来、電源オフ状態におけるアラーム実現方法は、基本的に、ローカルのリアルタイムクロックＲＴＣ（Ｒｅａｌ ｔｉｍｅ ｃｌｏｃｋ）により行われる。具体的には、べースバンドチップの他に専用チップを追加することで計時し、時間情報をプロセッサに受け渡す方法、及び、べースバンドチップ内の発振回路が生成したパルスをカウントする方法がある。【０００５】  しかしながら、従来の携帯電話は、ａｎｄｒｏｉｄアンドロイドシステムを採用することが多く、このシステムは、電源オフの状態でアラーム機能をウェイクアップして使用することができない。
【発明の概要】
【０００６】  本発明は、ａｎｄｒｏｉｄシステムが搭載されるモバイル端末でも電源オフの状態でアラーム機能をウェイクアップすることができ、ユーザにより快適な使用感をもたらす電源オフ状態におけるアラーム実現方法、モバイル端末、プログラム及び記録媒体を提供する。
【０００７】  本発明は、電源オフ状態におけるアラーム実現方法を提供し、当該電源オフ状態におけるアラーム実現方法は、  設定したアラーム鳴動時間を取得するステップと、  モニタリングした現在時間と設定したアラーム鳴動時間との時間差が第１設定時間差より小さいか否かを判定するステップと、  前記第１所定時間差より小さいと判定すると、システムをウェイクアップして電源オン操作を実行するステップと、  システムが電源をオンする時に発した電源オンに対応する信号ＩＤを取得すると、現在時間がアラーム鳴動時間であると特定するステップと、  特定したアラーム鳴動時間に基づいて、アラームを起動し、鳴る操作を実行するステップと、を含む。
【０００８】  好ましくは、前記システムが電源をオンする時に発した電源オンに対応する信号ＩＤをモニタリングすると、現在時間がアラーム鳴動時間であると特定するステップは、  システムが電源をオンする時に発した電源オンに対応する信号ＩＤをリアルタイムにモニタリングし取得するステップと、  現在に前記信号ＩＤを受信する時間と設定した前記アラーム鳴動時間との時間差が第２所定時間差より小さいか否かを判定するステップと、  前記第２所定時間差より小さいと判定すると、前記現在に前記信号ＩＤを受信する時間がアラーム鳴動時間であると特定し、アラームを起動するステップと、を含む。
【０００９】  好ましくは、前記第２所定時間差より小さいと判定すると、前記現在に前記信号ＩＤを受信する時間がアラーム鳴動時間であると特定するステップは、  前記現在に前記信号ＩＤを受信する時間より、第２設定時間ほど短い時間内に対応する状態ＩＤを検索するステップと、  前記現在に前記信号ＩＤを受信する時間より、第２設定時間ほど短い時間内に対応する状態ＩＤがアラームオンＩＤであると判定すると、現在に前記信号ＩＤを受信する時間がアラーム鳴動時間であると特定するステップと、を含む。
【００１０】  前記設定したアラーム鳴動時間を取得するステップの前には、さらに、  電源オンの状態でアラーム鳴動時間を設定するとともに、前記アラームが鳴る時に対応するサウンドを前記システムのメモリに保存するステップを含む。
【００１１】  好ましくは、特定したアラーム鳴動時間に基づいて、アラームを起動し、鳴る操作を実行したステップの後には、さらに、  アラーム操作の操作指令を取得するステップと、  前記操作指令に応じて、アラームをスヌーズ又は停止する操作を実行するステップと、を含む。
【００１２】  好ましくは、前記アラーム操作の操作指令は、所定対象を、設定した開始位置と目標位置との間にスライドさせるためのものである。
【００１３】  好ましくは、前記アラーム操作は、アラームを停止する操作、アラームをスヌーズする操作、或いは、アラームを停止し電源をオフする操作の中のいずれ一種である。
【００１４】  本発明は、さらに、上記電源オフ状態におけるアラーム実現方法に基づくモバイル端末を提供し，当該モバイル端末は、設定したアラーム鳴動時間を取得するための取得ユニットと、  モニタリングした現在時間と設定したアラーム鳴動時間との時間差が第１所定時間差より小さいか否かを判定するための判定ユニットと、  前記第１所定時間差より小さいと判定すると、システムをウェイクアップし電源をオンする操作を実行させるためのウェイクアップユニットと、  システムが電源をオンする時に発した電源オンに対応する信号ＩＤを取得すると、現在時間がアラーム鳴動時間であることを特定するための特定ユニットと、  特定したアラーム鳴動時間に基づいて、アラームを起動し、鳴る操作を実行するための実行ユニットと、を含む。
【００１５】  好ましくは、前記モバイル端末は、さらに、  システムが電源をオンする時に発した電源オンに対応する信号ＩＤをリアルタイムにモニタリングして取得するためのモニタユニット、を含み、  前記判定ユニットは、現在に前記信号ＩＤを受信する時間と設定した前記アラーム鳴動時間との時間差が第２所定時間差より小さいか否かを判定し、  前記特定ユニットは、前記第２所定時間差より小さいと判定すると、前記現在に前記信号ＩＤを受信する時間がアラーム鳴動時間であると特定し、  前記実行ユニットは、特定したアラーム鳴動時間に基づいて、アラームが鳴る操作を実行する。
【００１６】  好ましくは、前記モバイル端末は、さらに、  各設定時間に対応するタグ状態ＩＤを記憶するためのメモリと、  前記現在に前記信号ＩＤを受信する時間より、第２設定時間ほど短い時間内に対応する状態ＩＤを検索するための検索ユニットと、を含み、  前記現在に前記信号ＩＤを受信する時間より、第２設定時間ほど短い時間内に対応する状態ＩＤがアラームオンＩＤであると判定すると、前記特定ユニットは、前記現在に前記信号ＩＤを受信する時間が前記アラーム鳴動時間であると特定する。 本発明は、さらに、プロセッサに実行されることにより、前記電源オフ状態におけるアラーム実現方法を実現するプログラムを提供する。  本発明は、さらに、前記プログラムを記録した記録媒体を提供する。
【００１７】  本発明に係る電源オフ状態におけるアラーム実現方法、モバイル端末、プログラム及び記録媒体は、以下の有益な効果を有する。
【００１８】  ａｎｄｒｏｉｄのシステムにおいて、システムが一旦電源をオンする操作を実行すると、現在が電源がオンの状態にあることを判定するために、自ら１つの信号ＩＤを発し、本発明は、モバイル端末内にシステムをウェイクアップし電源をオンさせるためのウェイクアップユニットと、システムの電源のオン・オフ状態をリアルタイムにモニタリングすることができるモニタユニットとが設けられることにより、モニタユニットがリアルタイムに現在時間をモニタリングできるため、モニタユニットにより現在時間が設定したアラーム時間になったことを検出すると、指令を送信し、ウェイクアップユニットによりシステムをウェイクアップして電源をオンさせるとともに、特定ユニットの特定結果に基づいて、現在に受信したシステムの電源オン時間が設定したアラーム時間であるか否かを判定し、アラーム時間であると特定すると、鳴る操作を実行する。本発明は、ａｎｄｒｏｉｄのシステムにおいても、電源オフの時にアラームの機能を作用できるため、ユーザの使用感を高め、かつバッテリの寿命を延長し、携帯電話の消耗を減らす。
【図面の簡単な説明】
【００１９】  以下、本発明の実施例の技術方案をより明確に説明するために、従来技術或いは実施例を説明するために用いられる図面について簡単に説明し、以下に説明する図面は、単なる本発明の一部の実施例であり、当業者にとって、これらの図面に基づいてほかの図面を得ることができることを言うまでもない。【００２０】
【図１】本発明の実施例１に係る電源オフ状態におけるアラーム実現方法のフローチャートである。
【図２】本発明の実施例１に係る実現方法におけるステップ４を具体的に実現するフローチャートである。
【図３】本発明の実施例１に係るモバイル端末の構成のブロック図である。
【図４】本発明の実施例２に係るモバイル端末の構成のブロック図である。
【図５】本発明の実施例３に係るモバイル端末の構成のブロック図である。
【図６】本発明の実施例４に係るモバイル端末の構成のブロック図である。
【発明を実施するための形態】
【００２１】  以下、図面及び実施例を参照し、本発明における電源オフ状態におけるアラーム実現方法及びモバイル端末についてより詳細に説明する。
【００２２】  本発明の実施例は、電源オフ状態におけるアラーム実現方法を提供し、図１に示されるように、以下のステップを含む。
【００２３】  ステップ１０１において、設定したアラーム鳴動時間を取得する。
【００２４】  ステップ１０２において、モニタリングした現在時間と設定したアラーム鳴動時間との時間差が第１所定時間差より小さいか否かを判定する。
【００２５】  前記第１所定時間差より小さいと判定すると、ステップ１０３を実行する。
【００２６】  ステップ１０３において、システムをウェイクアップして電源オン操作を実行する。
【００２７】  システムが電源オン操作を実行する時に発した電源オンに対応する信号ＩＤ（Ｓｉｇｎａｌｌｉｎｇ ＩＤ）を取得すると、ステップ１０４を実行する。
【００２８】  ステップ１０４において、現在時間がアラーム鳴動時間であることを特定する。
【００２９】  ステップ１０５において、特定したアラーム鳴動時間に基づいて、アラームを起動し、鳴る操作を実行する。
【００３０】  図２に示されるように、ステップ１０４を実行する際にして、システムが電源をオンする時に発した電源オンに対応する信号ＩＤを取得すると、現在時間がアラーム鳴動時間であることを特定する。具体的には、以下のステップを含む。
【００３１】  ステップ４０１において、システムが電源をオンする時に発した電源オンに対応する信号ＩＤをリアルタイムにモニタリングし取得する。
【００３２】  ステップ４０２において、現在に前記信号ＩＤを取得する時間と設定した前記アラーム鳴動時間との時間差が第２所定時間差より小さいか否かを判定する。
【００３３】  前記第２所定時間差より小さいと判定すると、ステップ４０３を実行する。
【００３４】  ステップ４０３において、前記現在に前記信号ＩＤを取得する時間がアラーム鳴動時間であることを特定し、そして、アラームを起動する。
【００３５】  好ましくは、ステップ４０３を実行する際にして、前記第２所定時間差より小さいと判定すると、前記現在に前記信号ＩＤを取得する時間がアラーム鳴動時間であることを特定するステップは、さらに、  前記現在に前記信号ＩＤを取得する時間より、第２設定時間ほど短い時間内に対応する状態ＩＤを検索するステップと、  前記現在に前記信号ＩＤを取得する時間に比べて、第２設定時間小さい時間内に対応する状態ＩＤがアラーム起動ＩＤであると判定すると、前記アラーム鳴動時間であることを特定するステップと、を含む。
【００３６】  本発明に係る方法において、電源がオンの状態でアラーム鳴動時間を設定し、例えば、毎週の月曜日から金曜日の朝９：００をアラーム鳴動時間ｔ０として設定し、また、設定したアラームのサウンドをＳＤカードからシステムのメモリにコピーする。これは、システムがウェイクアップされてアラームを鳴らすとき、ＳＤカードが有効化になっていないため、ＳＤカードに保存しても、アラームが鳴るために設定されるサウンドが存在せず、システム内に既存の「プルルル」或いは「ディディディ」などの通知音のみが存在するからである。アラーム鳴動時間を設定した後、システムのメモリ内に記録して保存し、下表のように、リストの形式で表示される。
【００３７】
【表１】
0006014248.tif 000002
【００３８】  該当するアラーム鳴動時間によりトリガーされたイベントタグは、アラームであり、当該アラームの状態ＩＤがオン或いはオフであり、勿論、アラーム鳴動時間になると、その状態がオンに切り替わるように設定してもよく、０或いは１をオフ或いはオンの状態ＩＤとして使用してもよい。まず、設定したアラーム鳴動時間ｔ０を取得し、モニタリングした現在時間ｔ１に基づいて、現在時間ｔ１と設定したアラーム鳴動時間ｔ０との関係を判定し（両者を比較し）、現在時間ｔ１がアラーム鳴動時間ｔ０になったと判定すると、現在時間ｔ１と設定したアラーム鳴動時間ｔ０との時間差が０であるため、必ず第１所定時間差△ｔ１より小さい。通常、第１所定時間差△ｔ１を５分間に設定し、前記現在時間ｔ１と設定したアラーム鳴動時間ｔ０との差が５分間より小さくなると、システムをウェイクアップし、電源オン操作を実行することができる。通常、ａｎｄｒｏｉｄのシステムにおいて、システムは、一旦電源をオンすると、ｂｏｏｔ．ｃｏｍｐｌｅｔｅである電源をオンする信号ＩＤを発し、各ａｐｐｓに既に電源がオンになったことを伝え、モニタモジュールがリアルタイムにシステムの電源オンに対応する信号ＩＤをモニタリングして取得すると、現在に当該信号ＩＤを取得する時間がｔ２として記録する。電源がオンする前にモニタリングした現在時間ｔ１が設定したアラーム鳴動時間ｔ０になった時、現在に当該信号ＩＤを取得する時間ｔ２が必ず設定したアラーム鳴動時間より遅く、即ち、アラーム鳴動時間ｔ０より大きい。これは、通常、電源オンするには、一定な時間が必要となり、異なる携帯電話のシステムの電源オン時間も異なるからである。
【００３９】  現在、電源がオンした後、電源をオンする信号ＩＤを取得した時間がアラーム鳴動時間に設定される時間であることを特定すると、アラームを起動して、鳴る操作を実行する。
【００４０】  さらに、システムが電源をオンする度に信号ＩＤを発するため、正常な電源オン時のアラーム時間であるか電源オフ状態におけるアラーム鳴動時間であるかをさらに特定する必要があり、即ち、システムのメモリリストにおいて、リスト内に記録された時間が現在に取得したシステムの電源オン時間ｔ２より第２設定時間△ｔ２短い時間である場合、例えば、現在に電源をオンする信号ＩＤを取得する時間が９：０５であり、リスト内に時間９：００が記録され、両者の時間差が第２設定時間△ｔ２より小さい範囲内とし、さらに、当該時間９：００に対応するイベントタグがアラームであり、かつその状態がオンであると判明すると、電源オフ状態におけるアラーム鳴動時間であると判定し、鳴る操作を実行する。
【００４１】  鳴る操作を実行した後、アラームのスイッチを切り、或いはスヌーズする必要がある。例えば、早起きの時に眠くて、頭がすっきりせず、この場合、アラームが必ず作用するように、当該アラームに対して操作を行わない限りアラームをオフできない仕組みに設定しており、タッチするだけでアラームをオフするなら、目を覚ませる目的に達成しないからである。本発明の実施例において、スライダを目的領域までスライドし、或いは、ある所定の経路に沿って操作する場合にのみ、アラームをオフすることができる。通常、アラームのスイッチを切って電源をオフし、或いはスヌーズ（何分間後にアラームが再び鳴る）などの操作に設定してもよい。
【００４２】  本発明の実施例は、電源オフ状態におけるアラーム実現方法によるモバイル端末を提供し、図３に示されるように、当該モバイル端末は、システム制御ユニット３１、タイマー３２、ウェイクアップユニット３３、特定ユニット３４及び実行ユニット３５を含む。なお、システム制御ユニット３１は、具体的に、電源を再投入するときににアラーム鳴動時間を設定するための設定モジュール３１１と、設定したアラーム鳴動時間を取得するための取得モジュール３１２とを含む。
【００４３】  タイマー３２は、現在の時間をモニタリングするためのモニタモジュール３２１と、モニタリングした現在時間と設定したアラーム鳴動時間との時間差が第１所定時間差より小さいか否かを判定するための判定ユニット３２２と、を含む。
【００４４】  また、ウェイクアップユニット３３は、前記第１所定時間差より小さいと判定すると、システムをウェイクアップし電源オン操作を実行するためのものである。
【００４５】  特定ユニット３４は、システムが電源オンを実行する時に発した電源オンに対応する信号ＩＤを取得すると、現在時間がアラーム鳴動時間であることを特定するためのものである。
【００４６】  実行ユニット３５は、特定したアラーム鳴動時間に基づいて、アラームを起動し、鳴る操作を実行するためのものである。
【００４７】  図４に示されるように、本発明の実施例２に係るモバイル端末は、さらに、システム制御ユニット３１により制御されたシステムが電源をオンする時に発した電源オンに対応する信号ＩＤをリアルタイムにモニタリングし取得するためのモニタユニット４１を含み、一旦電源をオンすると、システムは、ｂｏｏｔ．ｃｏｍｐｌｅｔｅである信号ＩＤを発し、各ａｐｐｓにアプリケーションシステムが既に電源オンになったことを伝え、そのため、上記信号ＩＤをリアルタイムにモニタリングし取得することができ、これにより、現在のシステムの状態が電源オンの状態であるか否かを判定する。
【００４８】  なお、判定ユニット３２２は、さらに、現在に前記信号ＩＤを受信する時間と設定した前記アラーム鳴動時間との時間差が第２所定時間差より小さいか否かを判定する。
【００４９】  前記第２所定時間差より小さいと判定すると、特定ユニット３４は、さらに、前記現在に前記信号ＩＤを受信する時間がアラーム鳴動時間であることを特定する。
【００５０】  実行ユニット３５は、特定したアラーム鳴動時間に基づいて、アラームを起動し、鳴る操作を実行する。
【００５１】  図５に示されるように、本発明の実施例３に係るモバイル端末のシステムは、さらに、各設定時間に対応するタグ状態ＩＤを記憶するためのメモリ５１と、前記現在に前記信号ＩＤを受信する時間より、第２設定時間ほど短い時間内に対応する状態ＩＤを検索するための検索ユニット５２と、前記現在に前記信号ＩＤを受信する時間より、第２設定時間ほど短い時間内に対応する状態ＩＤを判定するための判定ユニット３２２と、を含む。
【００５２】  前記現在に前記信号ＩＤを受信する時間より、第２設定時間ほど短い時間内に対応する状態ＩＤがアラームオンＩＤであると判定すると、特定ユニット３４は、現在に前記信号ＩＤを受信する時間よが前記アラーム鳴動時間であると特定し、実行ユニット３５は、鳴る操作をオンすることを実行する。
【００５３】  さらに、システムに内蔵されたメモリ５１は、アラームが鳴る時に対応するサウンドを保存する。アラームに設定されたサウンドをＳＤカードからシステムのメモリにコピーする。システムがウェイクアップされてアラームを鳴らすとき、ＳＤカードが有効化になっていないため、ＳＤカードに保存しても、アラームが鳴るために設定されるサウンドが存在せず、システム内に既存の「プルルル」或いは「ディディディ」などの通知音のみが存在するからである。アラーム鳴動時間を設定した後、システムのメモリ内に記録して保存する。
【００５４】  図６に示されるように、本発明の実施例４に係るモバイル端末のシステムは、さらに、処理モジュール６１、及び実行モジュール６２を含む。本実施例において、処理モジュール６１は、アラーム操作の操作指令を処理する。
【００５５】  取得モジュール３１２は、操作指令を取得する。
【００５６】  実行モジュール６２は、前記操作指令に応じて、スヌーズ、又はアラームを停止する操作を実行する。
【００５７】  本発明の実施例に係る電源オフ状態におけるアラーム実現方法及びモバイル端末によれば、以下の有益な効果を奏する。
【００５８】  本発明の具体的な形態において、電源オフの状態でシステムをウェイクアップし電源をオンさせるためのウェイクアップモジュールと、システムの電源のオン・オフ状態をリアルタイムにモニタリングすることができるモニタユニットと、を設定しており、モニタユニットがリアルタイムに現在時間をモニタリングできるため、モニタユニットにより現在時間が設定したアラーム時間になったことを検出すると、指令を送信し、ウェイクアップユニットによりシステムをウェイクアップして電源をオンさせるとともに、特定ユニットの特定結果に基づいて、現在に受信したシステムの電源オン時間が設定したアラーム時間であるか否かを判定し、アラーム時間であると特定すると、鳴る操作を実行する。本発明は、ａｎｄｒｏｉｄのシステムにおいても、電源オフの時にアラームの機能を作用できるため、ユーザの使用感を高め、かつバッテリの寿命を延長し、携帯電話の消耗を減らす。
【００５９】  当業者は、本発明の主旨及び範囲を逸脱しない限り、本発明に対して様々な変更及び変形を行うことができることを言うまでもない。このように、本発明に対するこれらの変更及び変形が本発明の特許範囲及びそれに同等な技術範囲内に含まれると、本発明もこれらの変更及び変形を含む。 
【図１】
0006014248.tif 000003
【図２】
0006014248.tif 000004
【図３】
0006014248.tif 000005
【図４】
0006014248.tif 000006
【図５】
0006014248.tif 000007
【図６】
0006014248.tif 000008